(57)【特許請求の範囲】
【請求項１】
複数の光信号を波長多重し、第一の伝送路へ出力する第一の光多重部、
クライアント信号を伝送波長の光信号へ変換し、前記第一の光多重部へ出力する第一の光信号送信手段、
複数の光信号を波長多重し、前記第一の伝送路と異なる第二の伝送路へ出力する第二の光多重部、
クライアント信号を伝送波長の光信号へ変換し、前記第二の光多重部へ出力する第二の光信号送信手段、
前記第一の光信号送信手段または第二の光信号送信手段に入力されるクライアント信号を入力し、伝送波長の光信号へ変換する予備用光送信手段、
前記予備用光送信手段の出力する光信号を、前記第一および第二の光多重部へ出力する光経路切替手段
を備える光伝送システム。
【請求項２】
前記光経路切替手段は、前記予備用光送信手段の出力する光信号を、前記第一および第二の光多重部のいずれか一方へ出力すること
を特徴とする請求項１に記載の光伝送システム。
【請求項３】
前記第二の光信号送信手段は、前記第一の光信号送信手段とは異なる変調方式により、クライアント信号を伝送波長の光信号へ変換して前記第二の光多重部へ出力し、
前記予備用光送信手段は、前記第一の光信号送信手段に入力されるクライアント信号を入力して伝送波長の光信号へ変換し、
さらに、前記第二の光信号送信手段に入力されるクライアント信号を入力し、伝送波長の光信号へ変換する第二の予備用光送信手段を備え、
前記光経路切替手段が、前記予備用光送信手段および前記第二の予備用光送信手段の出力する光信号のいずれかを、前記第一および前記第二の光多重部へ出力すること
を特徴とする請求項１に記載の光伝送システム。
【請求項４】
前記第二の光信号送信手段は、前記第一の光信号送信手段とは異なる種別のクライアント信号を伝送波長の光信号へ変換して前記第二の光多重部へ出力し、
前記予備用光送信手段は、前記第一の光信号送信手段に入力されるクライアント信号を入力して伝送波長の光信号へ変換し、
さらに、前記第二の光信号送信手段に入力されるクライアント信号を入力し、伝送波長の光信号へ変換する第二の予備用光送信手段を備え、
前記光経路切替手段が、前記予備用光送信手段および前記第二の予備用光送信手段の出力する光信号のいずれかを、前記第一および前記第二の光多重部へ出力すること
を特徴とする請求項１に記載の光伝送システム。
【請求項５】
前記第一の光信号送信手段、前記第二の光信号送信手段、および前記予備用光送信手段は、クライアント信号を互いに異なる伝送波長の光信号へ変換する複数の光信号送信手段を含むマルチキャリア光送信手段であり、
前記光経路切替手段は、前記予備用光送信手段の前記光信号送信手段それぞれの出力する少なくとも２つの光信号を、互いに異なる前記第一および第二の光多重部へそれぞれ出力すること
を特徴とする請求項１に記載の光伝送システム。
【請求項６】
前記第一の光信号送信手段および前記第二の光信号送信手段は、クライアント信号を互いに異なる伝送波長の光信号へ変換する複数の光信号送信手段を含むマルチキャリア光送信手段であり、
前記予備用光送信手段は、クライアント信号を前記互いに異なる伝送波長のうちの１つの伝送波長の光信号へ変換すること
を特徴とする請求項１に記載の光伝送システム。
【請求項７】
第一の伝送路から波長多重光を入力し、波長分離する第一の波長分離部、
前記第一の波長分離部で波長分離された光信号をクライアント信号へ変換する第一の光信号受信手段、
前記第一の伝送路と異なる第二の伝送路から波長多重光を入力し、波長分離する第二の波長分離部、
前記第二の波長分離部で波長分離された光信号をクライアント信号へ変換する第二の光信号受信手段、
前記第一および第二の波長分離部で波長分離された光信号を入力し、いずれかを出力する光経路切替手段、
前記光経路切替手段の出力する光信号を、前記第一の光信号受信手段または前記第二の光信号受信手段の出力するクライアント信号へ変換する予備用光受信手段
を備える光伝送システム。
【請求項８】
前記第二の光信号受信手段は、前記第二の波長分離部で波長分離された光信号を、前記第一の光信号受信手段とは異なる変調方式によりクライアント信号へ変換し、
前記予備用光受信手段は、前記光経路切替手段の出力する光信号を、前記第一の光信号受信手段の出力するクライアント信号へ変換し、
さらに、前記光経路切替手段の出力する光信号を、前記第二の光信号受信手段の出力するクライアント信号へ変換する第二の予備用光受信手段を備え、
前記光経路切替手段は、前記第一および第二の波長分離部で波長分離された光信号を入力し、いずれかを出力すること
を特徴とする請求項７に記載の光伝送システム。
【請求項９】
前記第二の光信号受信手段は、前記第二の波長分離部で波長分離された光信号を、前記第一の光信号受信手段とは異なる種別のクライアント信号へ変換し、
前記予備用光受信手段は、前記光経路切替手段の出力する光信号を、前記第一の光信号受信手段の出力するクライアント信号へ変換し、
さらに、前記光経路切替手段の出力する光信号を、前記第二の光信号受信手段の出力するクライアント信号へ変換する第二の予備用光受信手段を備え、
前記光経路切替手段は、前記第一および第二の波長分離部で波長分離された光信号を入力し、いずれかを出力すること
を特徴とする請求項７に記載の光伝送システム。
【請求項１０】
前記第一の光信号受信手段、前記第二の光信号受信手段、および前記予備用光受信手段は、互いに異なる伝送波長の光信号を変換する複数の光信号受信手段を含むマルチキャリア光受信手段であり、
前記光経路切替手段は、前記第一および第二の光分離部の出力する２つの光信号を入力し、いずれか一方を前記予備用光受信手段の一方の伝送波長の光信号を変換する光信号受信手段へ出力し、他方を前記予備用光受信手段の他方の伝送波長の光信号を変換する光信号受信手段へ出力する
ことを特徴とする請求項７に記載の光伝送システム。
【請求項１１】
前記第一の光信号受信手段および前記第二の光信号受信手段は、互いに異なる伝送波長の光信号を変換する複数の光信号受信手段を含むマルチキャリア光受信手段であり、
前記予備用光受信手段は、前記互いに異なる伝送波長のうちの１つの伝送波長の光信号をクライアント信号へ変換すること
を特徴とする請求項７に記載の光伝送システム。
【発明の詳細な説明】
【技術分野】
【０００１】
この発明は、冗長構成を有する波長多重伝送装置を備えた光伝送システムに関する。
【背景技術】
【０００２】
光波長多重伝送システムでは、１波長あたりの通信容量の増大により、複数波長の光信号を多重して伝送する波長多重光伝送装置において１波長でも異常が発生すると、収容している多くのクライアント信号に影響を与えてしまう問題がある。そこで、従来の波長多重光伝送装置では、予備系のｃｈを用意し、現用系の１〜Ｎｃｈのうちのいずれかのｃｈに障害が発生した場合に、送信側では障害が発生したｃｈで収容していたクライアント信号を予備系のｃｈに収容し、受信側では予備系のｃｈで受信したクライアント信号を障害が発生したｃｈへ出力するように光スイッチを切り替えることにより、クライアント信号への影響を回避している。
【０００３】
予備系のｃｈを構成する光信号送信手段は、１つのファイバペアで構成される伝送路毎に設置され、現用系の１〜Ｎｃｈの光信号送信手段と共に、光波長多重化手段に接続される。また、受信側に設置された予備系ｃｈの光信号受信手段は、現用系の１〜Ｎｃｈの光信号受信手段と共に、光波長分離手段に接続される（例えば、特許文献１参照）。
【先行技術文献】
【特許文献】
【０００４】
【特許文献１】特開平１０−２１０００８号
【発明の概要】
【発明が解決しようとする課題】
【０００５】
従来の波長多重光伝送装置は以上のように構成されているので、複数種類の伝送路を集約して、複数の波長多重光伝送装置が設置される局では、各波長多重光伝送装置に対応して予備系ｃｈを構成する光信号送信手段、光信号受信手段および光スイッチが備えられるため、その占有領域が大きくなるという問題点があった。
【０００６】
この発明は上記のような問題点を解消する光伝送システムを得ることを目的とする。
【課題を解決するための手段】
【０００７】
この発明の光伝送システムは、複数の光信号を波長多重し、第一の伝送路へ出力する第一の光多重部、クライアント信号を伝送波長の光信号へ変換し、前記第一の光多重部へ出力する第一の光信号送信手段、複数の光信号を波長多重し、前記第一の伝送路と異なる第二の伝送路へ出力する第二の光多重部、クライアント信号を伝送波長の光信号へ変換し、前記第二の光多重部へ出力する第二の光信号送信手段、前記第一の光信号送信手段または第二の光信号送信手段に入力されるクライアント信号を入力し、伝送波長の光信号へ変換する予備用光送信手段、前記予備用光送信手段の出力する光信号を、前記第一および第二の光多重部へ出力する光経路切替手段を備える。
【発明の効果】
【０００８】
この発明の光伝送システムは、互いに異なる伝送路で伝送する二つの光信号送信手段それぞれに入力されるクライアント信号を伝送波長の光信号に変換する予備用光送信手段と、前記予備用光送信手段の出力する光信号を前記二つの光信号送信手段の出力それぞれと多重化する光多重部へ出力する光経路切替手段を備えるようにしたので、予備用光送信手段を共有化することができ、設備を抑制した効率的な光伝送システムを構築することが可能になる。
【図面の簡単な説明】
【０００９】
【図１】この発明の実施の形態１による光伝送システムを示す構成図である。
【図２】この発明の実施の形態２による光伝送システムを示す構成図である。
【図３】この発明の実施の形態３による光伝送システムを示す構成図である。
【図４】この発明の実施の形態４による光伝送システムを示す構成図である。
【図５】この発明の実施の形態５による光伝送システムを示す構成図である。
【発明を実施するための形態】
【００１０】
実施の形態１．
以下にこの発明の実施の形態１を図に基づいて説明する。図１は、本実施の形態１の発明に係る波長多重伝送システムを複数備える光伝送システムの構成図である。図において、波長多重伝送装置１００と波長多重伝送装置２００は伝送路７を介して対向して、第一の波長多重伝送システム１００１を構成し、波長多重伝送装置３００と波長多重伝送装置４００は伝送路１７を介して対向して、第二の波長多重伝送システム１００２を構成する。第一の波長多重伝送システム１００１と第二の波長多重伝送システム１００２は、同じ伝送区間を互いに異なる伝送路（ファイバペア）で伝送するものである。
【００１１】
送信側の波長多重伝送装置１００は、クライアント信号５−１〜５−Ｎをそれぞれ入力し伝送波長に変換する光信号送信手段１−１〜１−Ｎ（Ｎは２以上の整数）と、これら光信号送信手段１−１〜１−Ｎの出力する光信号を波長多重し、伝送路７へ出力する波長多重分離部（波長多重部）２を含む。受信側の波長多重伝送装置２００は、伝送路７から波長多重光を入力して波長毎の光信号に分波する波長多重分離部（波長分離部）３と、波長多重分離部３の出力する波長毎の光信号をそれぞれ変換し、クライアント信号６−１〜６−Ｎを出力する光信号受信手段４−１〜４−Ｎを含む。
【００１２】
また、送信側の波長多重伝送装置３００は、クライアント信号１５−１〜１５−Ｎをそれぞれに入力し伝送波長に変換する光信号送信手段１１−１〜１１−Ｎと、これら光信号送信手段１１−１〜１１−Ｎの出力する光信号を波長多重し、伝送路１７へ出力する波長多重分離部（波長多重部）１２を含む。受信側の波長多重伝送装置４００は、伝送路１７から波長多重光を入力して波長毎の光信号に分波する波長多重分離部（波長分離部）１３と、波長多重分離部１３の出力する波長毎の光信号をそれぞれ変換し、クライアント信号１６−１〜１６−Ｎを出力する光信号受信手段１４−１〜１４−Ｎを含む。
【００１３】
上記第一の波長多重伝送システム１００１と第二の波長多重伝送システム１００２は、送信側と受信側それぞれにおいて、共通の予備系を備える。送信側予備系は、クライアント信号を予備ｃｈの伝送波長に変換する予備ｃｈ光送信手段（予備用光送信手段）２１と、予備ｃｈ光送信手段２１の入力元を切替える光経路切替え手段２５、予備ｃｈ光送信手段２１の出力先を切替える光経路切替え手段２２を含む。受信側予備系は、予備ｃｈの光信号を変換し、クライアント信号を出力する予備ｃｈ光受信手段（予備用光受信手段）２４と、予備ｃｈ光受信手段２４の入力元を切替える光経路切替え手段２３、予備ｃｈ光受信手段２４の出力先を切替える光経路切替え手段２６を含む。
【００１４】
クライアント信号５−１〜５−Ｎ及び１５−１〜１５−Ｎは、それぞれ光分岐手段により分岐され、光経路切替え手段２５を経由して、予備ｃｈ光送信手段２１へ入力可能に構成される。また、予備ｃｈ光受信手段２４の出力信号は、光経路切替え手段２６経由で、光信号受信手段４−１〜４−Ｎ及び１４−１〜１４−Ｎの出力側と光分岐手段で結合可能に構成される。
【００１５】
次に、通常時の動作を説明する。図示しないクライアント側外部装置からのクライアント信号５−１〜５−Ｎは、波長多重伝送装置１００の光信号送信手段１−１〜１−Ｎにそれぞれ入力される。光信号送信手段１−１〜１−Ｎは、それぞれ入力したクライアント信号を固有のｃｈ（波長）の光信号に変換して波長多重分離部２へ出力する。波長多重分離部２は、光信号送信手段１−１〜１−Ｎから出力された各光信号を波長多重し、波長多重光を伝送路７へ出力する。波長多重光は、伝送路７を経由して伝送され、対向局である波長多重伝送装置２００の波長多重分離部３に入力する。波長多重分離部３は、波長多重光を各ｃｈ（波長）の光信号に分離し、各ｃｈに対応する光信号受信手段４−１〜４−Ｎへ出力する。光信号受信手段４−１〜４−Ｎは、それぞれ入力した光信号をクライアント信号６−１〜６−Ｎに変換し出力する。クライアント信号６−１〜６−Ｎは、図示しないクライアント側外部装置へ出力される。尚、上記は第一の波長多重伝送システム１００１の動作を説明したが、第二の波長多重伝送システム１００２の動作も同様であるため、説明を省略する。
【００１６】
通常時において、送信側予備系の光経路切替え手段２５は、クライアント信号５−１〜５−Ｎ及び１５−１〜１５−Ｎのいずれも予備ｃｈ光送信手段２１へ出力しないように切替える。予備ｃｈ光送信手段２１は、空またはダミーの光信号を送出する。光経路切替え手段２２は、初期設定として、例えば予備ｃｈ光送信手段２１からの信号を波長多重装置１００の波長多重分離部２へ出力するように切替えておく。予備ｃｈ光送信手段２１がダミー信号を出力している場合、波長多重分離部２は、ダミー信号を入力して、光信号送信手段１−１〜１−Ｎからの各光信号とともに波長多重して、伝送路７へ出力する。
【００１７】
受信側予備系では、波長多重装置２００の波長多重分離部３が、他の波長と同様にダミー信号を波長分離し、光経路切替え手段２３へ出力する。光経路切替え手段２３は、波長多重分離部３からの信号を予備ｃｈ光受信手段２４へ出力するように切替えておく。予備ｃｈ光受信手段２４は、ダミー信号を変換した信号を光経路切替え手段２６へ出力する。光経路切替え手段２６の出力は、空の信号とするか、またはシャットダウンし、出力信号が光分岐手段を介して光信号受信手段４−１〜４−Ｎの出力と結合され、クライアント信号６−１〜６−Ｎ及び１６−１〜１６−Ｎに影響を与えないようにする。
【００１８】
次に、異常時として、波長多重伝送装置３００の光信号送信手段１１−１が故障した場合の動作を説明する。光信号送信手段１１−１が故障した場合、クライアント信号１５−１を代わりに予備ｃｈ光送信手段２１により伝送するようにする。このため、送信側予備系において、光経路切替え手段２５は、光分岐手段で分岐されたクライアント信号１５−１を予備ｃｈ光送信手段へ出力するように切替えを行う。また、光経路切替え手段２２は、予備ｃｈ光送信手段２１からの光信号を波長多重分離部１２へ出力するように、波長多重伝送装置３００側に切替える。これにより、クライアント信号１５−１は、予備ｃｈ光送信手段２１で予備ｃｈの光信号に変換され波長多重分離部１２へ出力される。波長多重分離部１２は、光信号送信手段１１−２〜１１−Ｎから出力された各光信号と、予備ｃｈ光送信手段２１から出力された光信号を波長多重し、波長多重光を伝送路１７へ出力する。出力された波長多重光は、伝送路１７を経由して伝送され、対向局である波長多重伝送装置４００の波長多重分離部１３に入力する。
【００１９】
一方、受信側予備系において、光経路切替え手段２３は、波長多重分離部１３からの光信号を予備ｃｈ光受信手段２４へ出力するように、波長多重伝送装置４００側に切替える。また、光経路切替え手段２６は、予備ｃｈ光受信手段２４からの信号を、故障した光信号送信手段１１−１の対向となる光信号受信手段１４−１の出力と光分岐手段で結合される経路へ出力するように切替えを行う。これにより、予備ｃｈ光送信手段２１から予備ｃｈ光受信手段２４までの光パスを設定して、故障した光信号送信手段１１−１と光信号受信手段１４−１との間の光パスの代わりとなる光パスを確保する。波長多重分離部１３で分離された予備ｃｈの光信号は、予備ｃｈ光受信手段２４で変換され、クライアント信号１６−１としてクライアント側外部装置へ出力される。
【００２０】
波長多重伝送装置１００に備えられた光信号送信手段が故障した場合は、光経路切替え手段２２について、予備ｃｈ光送信手段２１からの光信号を波長多重分離部２へ出力するように、波長多重伝送装置１００側に切替える。また、光経路切替え手段２３について、波長多重分離部３からの光信号を予備ｃｈ光受信手段２４へ出力するように、波長多重伝送装置２００側に切替える。これにより、故障した波長多重伝送装置１００の光信号送信手段と、これと対向する波長多重伝送装置２００の光信号受信手段との間の光パスの代わりとなる光パスを確保する。
【００２１】
以上によれば、本実施の形態１では、同じ伝送区間を互いに異なる伝送路で伝送する二つの波長多重伝送システムに、共有化した予備系を備えるように構成したので、高信頼性を確保した上で、設備を抑制した効率的な光伝送システムを構築することが可能になる。
【００２２】
尚、本実施の形態１は、第一の波長多重伝送システム１００１と第二の波長多重伝送システム１００２が、同じ伝送区間を互いに異なる伝送路（ファイバペア）で伝送するものであるが、別の伝送区間を伝送するものであってもよい。この場合は、送信側予備系のみを共有化、または受信側予備系のみを共有化する構成が可能である。
【００２３】
実施の形態２．
以下にこの発明の実施の形態２を図に基づいて説明する。図２は、本実施の形態２の発明に係る波長多重伝送システムを複数備える光伝送システムの構成図である。図において、波長多重伝送装置１００と波長多重伝送装置２００、伝送路７からなる第一の波長多重伝送システム１００１、波長多重伝送装置３００と波長多重伝送装置４００、伝送路１７からなる第二の波長多重伝送システム１００２については、実施の形態１の図１と同様の構成であるため、説明を省略する。
【００２４】
また、第一の波長多重伝送システム１００１と第二の波長多重伝送システム１００２は、送信側と受信側それぞれにおいて共通の予備系を備えるが、実施の形態１では、送信側予備系は、予備ｃｈ光送信手段２１の出力先を切替える光経路切替え手段２２を備えるのに対し、本実施の形態２では、光信号分岐手段２７を備えることを特徴とする。受信側予備系は、実施の形態１の図１と同様の構成であるため、説明を省略する。
【００２５】
さらに、クライアント信号５−１〜５−Ｎ及び１５−１〜１５−Ｎが、それぞれ光分岐手段により分岐され、光経路切替え手段２５を経由して、予備ｃｈ光送信手段２１へ入力可能な構成、予備ｃｈ光受信手段２４の出力信号が、光経路切替え手段２６経由で、光信号受信手段４−１〜４−Ｎ及び１４−１〜１４−Ｎの出力側と光分岐手段で結合可能な構成についても、実施の形態１の図１と同様の構成であるため、図２への記載および説明を省略する。
【００２６】
本実施の形態２では、異常時において、予備ｃｈ光送信手段２１からの予備波長の光は、光信号分岐手段２７により分岐され、両方の波長多重分離部２および３に、現用の光信号送信手段の出力と同時に入力される。これにより、波長多重伝送装置１００および３００から、それぞれの伝送路７および１７に送出される信号光を一定化でき、現用ｃｈの光信号を含め、伝送特性を安定させられる効果がある。受信側では、両伝送路を経由した信号のうち、光経路切替え手段２３の初期設定している側を選択し、予備波長を受信する。
【００２７】
尚、波長多重分離部光信号分岐手段２７としては、例えば、光損失特性の波長依存性が小さい３ｄＢカプラが適用可能である。
【００２８】
以上によれば、本実施の形態２では、実施の形態１と同様に、同じ伝送区間を互いに異なる伝送路で伝送する二つの波長多重伝送システムに、共有化した予備系を備えるように構成したので、高信頼性を確保した上で、設備を抑制した効率的な光伝送システムを構築することが可能になる。また、送信側の予備系において、予備ｃｈ光送信手段２１の出力を光信号分岐手段２７によって分岐し、波長多重分離部２および３の両方へ入力するように構成したので、いずれの波長多重伝送装置１００および３００の出力についても、伝送特性を安定させられることができる効果がある。
【００２９】
実施の形態３．
以下にこの発明の実施の形態３を図３に基づいて説明する。本実施の形態３は、クライアント信号種別や、伝送路における変調方式が複数あり、これらに対応して、複数種類の光信号送信手段、光信号受信手段を備える光伝送システムに関する。
【００３０】
図において、波長多重伝送装置５０１と波長多重伝送装置６０１は、伝送路２０１を介して対向して波長多重伝送システム２００１を構成する。同様に、Ｍを２以上の整数として、波長多重伝送装置５００＋Ｍと波長多重伝送装置６００＋Ｍは、伝送路２００＋Ｍを介して対向して波長多重伝送システム２０００＋Ｍを構成し、本光伝送システムは、Ｍ系統の波長多重伝送システムを備える。
【００３１】
送信側の波長多重伝送装置５０１は、クライアント信号６１−１〜６１−Ｎをそれぞれ入力し伝送波長に変換する光信号送信手段５１（１）−１〜５１（１）−Ｎと、これら光信号送信手段５１（１）−１〜５１（１）−Ｎの出力する光信号を波長多重し、伝送路２０１へ出力する波長多重分離部２を含む。受信側の波長多重伝送装置６０１は、伝送路２０１から波長多重光を入力して波長毎の光信号に分波する波長多重分離部３と、波長多重分離部３の出力する波長毎の光信号をそれぞれ変換し、クライアント信号６２（１）−１〜６２（１）−Ｎを出力する光信号受信手段５２（１）−１〜５２（１）−Ｎを含む。
【００３２】
また、送信側の波長多重伝送装置５００＋Ｍは、クライアント信号６１（Ｍ）−１〜６１（Ｍ）−Ｎをそれぞれ入力し伝送波長に変換する光信号送信手段５１（Ｍ）−１〜５１（Ｍ）−Ｎと、これら光信号送信手段５１（Ｍ）−１〜５１（Ｍ）−Ｎの出力する光信号を波長多重し、伝送路２００＋Ｍへ出力する波長多重分離部１２を含む。受信側の波長多重伝送装置６００＋Ｍは、伝送路２００＋Ｍから波長多重光を入力して波長毎の光信号に分波する波長多重分離部１３と、波長多重分離部１３の出力する波長毎の光信号をそれぞれ変換し、クライアント信号６２（Ｍ）−１〜６２（Ｍ）−Ｎを出力する光信号受信手段５２（Ｍ）−１〜５２（Ｍ）−Ｎを含む。
【００３３】
上記Ｍ系統の波長多重伝送システムそれぞれは、Ｋ（Ｋは２以上Ｍ以下の整数）種類の変調方式のいずれかに対応する光信号送信手段／光信号受信手段を含み、送信側と受信側それぞれにおいて、共通のＫ種類の予備ｃｈ光送信手段（予備用光送信手段）５１（１）−（Ｎ＋１）〜５１（Ｋ）−（Ｎ＋１）、予備ｃｈ光受信手段（予備用光送信手段）５２（１）−（Ｎ＋１）〜５２（Ｋ）−（Ｎ＋１）を含む予備系を備える。
【００３４】
送信側予備系は、さらに、予備ｃｈ光送信手段５１（１）−（Ｎ＋１）〜５１（Ｋ）−（Ｎ＋１）への入力信号を選択するＭ：Ｋの光経路切替手段４１、出力信号を選択するＫ：Ｍの光経路切替手段４２、各波長多重伝送装置５０１〜５００＋Ｍに対応して設けられ、各クライアント信号６１（１）−１〜６１（１）−Ｎ、…、６１（Ｍ）−１〜６１（Ｍ）−Ｎのうちから、切替えるべき信号を選択する光経路切替手段４５−１〜４５−Ｍを備える。
【００３５】
また、受信側予備系は、さらに、Ｍ台の波長多重伝送装置６０１〜６００＋Mにおいて分離された対向する予備ｃｈ光送信手段からの信号を、予備ｃｈ光受信手段５２（１）−（Ｎ＋１）〜５２（Ｋ）−（Ｎ＋１）のいずれかに入力するように選択するＭ：Ｋの光経路切替手段４３と、各波長多重伝送装置６０１〜６００＋Ｍに対応して設けられ、各予備ｃｈ光受信手段からの信号を、接続すべきクライアント信号出力に接続する光経路切替手段４６−１〜４６−Ｍ、予備ｃｈ光受信手段５２（１）−（Ｎ＋１）〜５２（Ｋ）−（Ｎ＋１）からのＫ種類の出力を、光経路切替手段４６−１〜４６−Ｍのいずれかに入力するように切替えるＫ：Ｍの光経路切替え手段４４を備える。
【００３６】
クライアント信号６１（１）−１〜６１（１）−Ｎ、…、６１（Ｍ）−１〜６１（Ｍ）−Ｎは、それぞれ光分岐手段により分岐され、光経路切替え手段４５−１〜４５−Ｍのいずれかと、光経路切替手段４１を経由して、予備ｃｈ光送信手段５１（１）−（Ｎ＋１）〜５１（Ｋ）−（Ｎ＋１）へ入力可能に構成される。また、予備ｃｈ光受信手段５２（１）−（Ｎ＋１）〜５２（Ｋ）−（Ｎ＋１）の出力信号は、光経路切替え手段４４と、光経路切替手段４６−１〜４６−Ｍのいずれかを経由して、光信号受信手段５２（Ｍ）−１〜５２（Ｍ）−Ｎの出力側と光分岐手段で結合可能に構成される。
【００３７】
例えば、波長多重伝送システム２００１では比較的に伝送距離が短く、ＱＰＳＫ変調方式を適用した光送受信手段を用いており、波長多重伝送システム２００２では伝送距離が長く、ＢＰＳＫ変調方式を適用した光送受信手段を用いている場合、予備ｃｈ光送信手段／予備ｃｈ光受信手段として、予備ｃｈ光送信手段５１（１）−（Ｎ＋１）／予備ｃｈ光受信手段５２（１）−（Ｎ＋１）は、ＱＰＳＫ変調方式の光送受信手段を備え、予備ｃｈ光送信手段５１（２）−（Ｎ＋１）／予備ｃｈ光受信手段５２（２）−（Ｎ＋１）は、ＢＰＳＫ変調方式の光送受信手段を備えるように構成する。
【００３８】
そして、波長多重伝送システム２００１の光送受信手段が故障した場合には、故障した光送受信手段に対応するクライアント信号を予備ｃｈ光送信手段５１（１）−（Ｎ＋１）へ出力するように、光経路切替手段４５−１、４１の切替えを行う。また、光経路切替手段４２は、予備ｃｈ光送信手段５１（１）−（Ｎ＋１）からの光信号を波長多重分離部２へ出力するように切替える。これにより、故障した光送受信手段に対応するクライアント信号は、予備ｃｈ光送信手段５１（１）−（Ｎ＋１）で予備ｃｈの光信号に変換され波長多重分離部２へ出力される。波長多重分離部２は、他の光信号送信手段から出力された各光信号と波長多重し、波長多重光を伝送路２０１へ出力する。出力された波長多重光は、伝送路２０１を経由して伝送され、対向局である波長多重伝送装置６０１の波長多重分離部３に入力する。
【００３９】
受信側予備系では、光経路切替手段４３は、波長多重分離部３からの光信号を予備ｃｈ光受信手段５２（１）−（Ｎ＋１）へ出力するように切替える。また、光経路切替え手段４４、４６−１は、予備ｃｈ光受信手段５２（１）−（Ｎ＋１）からの信号を、故障した光送受信手段に結合される経路へ出力するように切替えを行う。これにより、故障した光送受信手段の光パスの代わりとなる光パスを確保する。
【００４０】
以上のように、本実施の形態３では、複数の波長多重伝送システムを備える光伝送システムにおいて、各波長多重伝送システムの適用する伝送距離が異なり、それぞれが異なる変調方式を用いている場合にも、適用が可能となる。すなわち、変調方式の異なる波長多重伝送システム２００１または波長多重伝送システム２００２における光信号送信手段または光信号受信手段のいずれの故障時にも、各変調方式に対応した予備ｃｈ光送信手段／予備ｃｈ光受信手段を光経路切替手段４２／光経路切替手段４３を介して、各波長多重分離部に接続し、対応する予備ｃｈ光送信手段／予備ｃｈ光受信手段を適用するように光経路選択手段への設定を行うことにより、伝送を継続することが可能になる。
【００４１】
また、自身の変調方式を切替え可能な光送受信手段を予備ｃｈの光送受信手段に適用することにより、複数変調方式の予備系を１対の光送信手段／光受信手段で実現でき、予備ｃｈ光送信手段／予備ｃｈ光受信手段の台数を減らすことが可能になる。
【００４２】
また、システム構成上の制約がなければ、より長距離の伝送が可能な変調方式を採用した１種類の予備ｃｈ光送信手段／予備ｃｈ光受信手段を備え、複数変調方式の予備系とすることも可能である。
【００４３】
さらに、本実施の形態３によれば、各光送信手段に入力するクライアント信号種別が複数必要な場合にも適用できる。例えばクライアント信号の伝送速度が、ＳＴＭ−６４（Ｓｙｎｃｈｒｏｎｏｕｓ  Ｔｒａｎｓｐｏｒｔ  Ｍｏｄｕｌｅ−６４）、１０ＧｂＥ（１０Ｇｉｇａｂｉｔ  Ｅｔｈｅｒｎｅｔ（登録商標）  Ｌｏｃａｌ  Ａｒｅａ  Ｎｅｔｗｏｒｋ）、ＯＴＵ４（Ｏｐｔｉｃａｌ−ｃｈａｎｎｅｌ  Ｔｒａｎｓｐｏｒｔ  Ｕｎｉｔ−４）等が、同じ波長多重伝送装置内、または波長多重伝送システムを跨って複数存在する場合に、それぞれを受信可能な光送信手段を各１枚以上予備ｃｈとして備えることにより、各光送信手段の故障時に、クライアント信号を保護することが可能となる。
【００４４】
実施の形態４．
以下にこの発明の実施の形態４を図に基づいて説明する。図４は、本実施の形態４の発明に係る波長多重伝送システムを複数備える光伝送システムの構成図である。本発明は、複数波長の光送受信手段を有するマルチキャリア光送受信手段の適用に関するものである。
【００４５】
図において、本光伝送システムでは、波長多重伝送装置７０１と波長多重伝送装置８０１が伝送路７を介して対向して、第一の波長多重伝送システム３００１を構成し、波長多重伝送装置７０２と波長多重伝送装置８０２が伝送路１７を介して対向して、第二の波長多重伝送システム３００２を構成する。さらに、第一、第二の波長多重伝送システムと同様の構成を有する第三〜第Ｍの波長多重伝送システムを備えてもよい。
【００４６】
送信側の波長多重伝送装置７０１は、２波長の光信号送信手段７１−１ａ、７１−１ｂを有するマルチキャリア光送信手段７１−１〜７１−Ｎと、これらのマルチキャリア光送信手段の出力する光信号を波長多重し、伝送路７へ出力する波長多重分離部２を含む。受信側の波長多重伝送装置８０１は、伝送路７から波長多重光を入力して波長毎の光信号に分波する波長多重分離部３と、２波長の光信号受信手段７４−１ａ、７４−１ｂを有するマルチキャリア光受信手段７４−１〜７４−Ｎを含む。
【００４７】
また、送信側の波長多重伝送装置７０２は、２波長の光信号送信手段を有するマルチキャリア光送信手段８１−１〜８１−Ｎと、これらのマルチキャリア光送信手段の出力する光信号を波長多重し、伝送路１７へ出力する波長多重分離部１２を含む。受信側の波長多重伝送装置８０２は、伝送路１７から波長多重光を入力して波長毎の光信号に分波する波長多重分離部１３と、ｎ波長の光信号受信手段を有するマルチキャリア光受信手段８４−１〜８４−Ｎを含む。
【００４８】
第一の波長多重伝送システム３００１と第二の波長多重伝送システム３００２は、送信側と受信側それぞれにおいて、共通の予備系を備える。送信側予備系は、２波長の光信号送信手段９１ａ、９１ｂを有するマルチキャリア光送信手段である予備ｃｈ光送信手段（予備用光送信手段）９１と、予備ｃｈ光送信手段９１の入力元を切替える光経路切替え手段２５、予備ｃｈ光送信手段９１の出力先を切替える２：Ｍ（本例では、Ｍ＝２）の光経路切替手段１２２を含む。受信側予備系は、２波長の光信号受信手段９４ａ、９４ｂを有するマルチキャリア光受信手段である予備ｃｈ光受信手段（予備用光受信手段）９４と、予備ｃｈ光受信手段９４の入力元を切替える光経路切替え手段１２３、予備ｃｈ光受信手段９４の出力先を切替える光経路切替え手段２６を含む。
【００４９】
異常時において、送信側では、障害の生じたマルチキャリア光送信手段に入力されるクライアント信号が、光経路切替手段２５を介して予備ｃｈ光送信手段９１に入力される。予備ｃｈ光送信手段９１の１キャリア毎の光信号送信手段から出力される合計２本の光信号は、光経路切替手段１２２に入力され、光経路切替手段１２２のＭ本（図４では２本）の出力のうちの２経路に１キャリアずつ出力される。そして、それぞれ別の波長多重伝送装置にて多重化される。図４の例では、光経路切替手段１２２からの２本の出力それぞれを、波長多重伝送装置７０１の波長多重分離部２と、波長多重伝送装置７０２の波長多重分離部１２に接続する。
【００５０】
受信側でも同様に、送信側でそれぞれ別の波長多重伝送装置経由で波長多重伝送された、予備ｃｈ光送信手段９１からの２キャリアの光信号を、２系統の受信側の波長多重伝送装置（図４では８０１、８０２）からそれぞれ分離後、Ｍ：２の光経路切替え手段１２３により選択し、予備ｃｈ光受信手段９４にて受信する。そして、予備ｃｈ光受信手段９４の出力信号は、光経路切替手段２６を経由して、障害の生じたマルチキャリア光送信手段に対向するマルチキャリア光信号受信手段の出力側と光分岐手段で結合される。
【００５１】
以上のように、本実施の形態４によれば、マルチキャリア光送受信手段を有する複数の波長多重伝送システムに、共有化した予備系を備えるように構成したので、１台の現用系のマルチキャリア光送信手段の障害発生時に、予備ｃｈ用光送信手段９１を用いて、クライアント信号を保護でき、高信頼性を確保した上で、設備を抑制した効率的な光伝送システムを構築することが可能になる。
【００５２】
さらに、予備ｃｈ光送信手段９１の１キャリア毎の光信号送信手段から出力される合計２本の光信号を、複数の波長多重伝送システムのうちの２システムで１キャリアずつ伝送可能に構成したので、光信号多重化後の例えば信号増幅用光アンプ等の装置内故障時や、複数のうちの一つの伝送路の障害時において、一つの波長多重伝送システムに収容する全てのクライアント信号を回線断にするのではなく、波長多重化している信号のうちの一部の信号を（本例の場合、１クライアント分）を別の伝送路（波長多重伝送システム）を経由することで保護することが可能になる。
【００５３】
実施の形態５．
以下にこの発明の実施の形態５を図に基づき説明する。図５は、本実施の形態５の発明に係る波長多重伝送システムを複数備える光伝送システムの構成図である。実施の形態５は、実施の形態４と同様に、複数波長の光送受信手段を有するマルチキャリア光送受信手段を適用する場合に関するものであり、予備ｃｈの光送信手段／光受信手段を１キャリアのみとすることを特徴とする。
【００５４】
図において、波長多重伝送装置７０１と波長多重伝送装置８０１、伝送路７からなる第一の波長多重伝送システム３００１、波長多重伝送装置７０２と波長多重伝送装置８０２、伝送路１７からなる第二の波長多重伝送システムで３００２は、マルチキャリア光送受信手段のうちの１波長の光信号送信手段／光信号受信手段に１クライアント信号が対応するように構成する。第一、第二の波長多重伝送システムに関するその他の構成は、実施の形態４の図４と同様の構成であるため、説明を省略する。
【００５５】
また、第一の波長多重伝送システム３００１と第二の波長多重伝送システム３００２は、送信側と受信側それぞれにおいて、共通の予備系を備える。それぞれ光分岐手段により分岐されたクライアント信号が、光経路切替え手段２５を経由して、予備ｃｈ光送信手段（予備用光送信手段）１９１へ入力可能な構成、予備ｃｈ光受信手段（予備用光受信手段）１９４の出力信号が、光経路切替え手段２６経由で、光信号受信手段の出力側と光分岐手段で結合可能な構成についても、実施の形態４の図４と同様の構成であるため、説明を省略する。
【００５６】
本実施の形態では、予備ｃｈ光送信手段１９１は、現用系マルチキャリア光送信手段が備える２波長の光信号送信手段の内の１波長分のみを備え、マルチキャリア光送信手段のうちの１波長分の予備系として構成される。予備ｃｈ光送信手段１９１から出力される１キャリア分の光信号は、１：Ｍ（本例では、Ｍ＝２）の光経路切替え手段２２に入力され、光経路切替え手段２２のＭ本の出力のうちのいずれか１経路に出力される。そして、波長多重伝送装置にて多重化される。
【００５７】
受信側でも同様に、送信側でいずれかの波長多重伝送装置経由で波長多重伝送された、予備ｃｈ光送信手段１９１からの光信号を、受信側の波長多重伝送装置（本例では８０１、８０２）からそれぞれ分離後、Ｍ：１の光経路切替え手段１２３により選択し、予備ｃｈ光受信手段１９４にて受信する。そして、予備ｃｈ光受信手段１９４の出力信号は、光経路切替手段２６を経由して、障害の生じたマルチキャリア光送信手段のうちの１波長の光信号送信手段に対向するマルチキャリア光信号受信手段の出力側と、光分岐手段で結合される。
【００５８】
本実施の形態では、現用系の各マルチキャリア光送信手段の有する複数キャリアのうちの１つ、例えば１台のマルチキャリア送信手段７１−１のうちの１つの光信号送信手段７１−１ａが故障した場合、当該故障キャリアの収容していたクライアント信号の内の例えば７５−１を光経路切替え手段２５にて予備ｃｈ用光送信手段１９１に切替えて収容し、予備ｃｈ用光送信手段１９１は、故障したキャリアと同波長に設定して予備系光パスとして確保し、マルチキャリア７１−１で故障していない側の光信号送信手段７１−１ｂからの光信号と合わせてマルチキャリア伝送を維持でき、故障したキャリアが収容していたクライアント信号を保護することが可能になる。
【００５９】
以上のように、本実施の形態５によれば、マルチキャリア光送受信手段を有する複数の波長多重伝送システムに、共有化した１キャリアのみの予備系を備えるように構成したので、現用系のマルチキャリア光送信手段が備える複数キャリアのうちの１キャリア故障時の冗長化を、複数キャリアを有するマルチキャリア光送信手段に比べ、より規模の小さい１キャリアのみの予備ｃｈ用光送信手段で実現可能となる。
【符号の説明】
【００６０】
１−１〜１−Ｎ  光信号送信手段
２  波長多重分離部（波長多重部）
３  波長多重分離部（波長分離部）
４−１〜４−Ｎ  光信号受信手段
５−１〜５−Ｎ  クライアント信号
６−１〜６−Ｎ  クライアント信号
７  伝送路
１１−１〜１１−Ｎ  光信号送信手段
１２  波長多重分離部（波長多重部）
１３  波長多重分離部（波長分離部）
１４−１〜１４−Ｎ  光信号受信手段
１５−１〜１５−Ｎ  クライアント信号
１６−１〜１６−Ｎ  クライアント信号
１７  伝送路
２１  予備ｃｈ光送信手段（予備用光送信手段）
２２  光経路切替手段
２３  光経路切替手段
２４  予備ｃｈ光受信手段（予備用光受信手段）
２５  光経路切替手段
２６  光経路切替手段
２７  光信号分岐手段
４１  光経路切替手段
４２  光経路切替手段
４３  光経路切替手段
４４  光経路切替手段
４５−１〜４５−Ｍ  光経路切替手段
４６−１〜４６−Ｍ  光経路切替手段
５１（１）−１〜５１（１）−Ｎ  光信号送信手段
５１（Ｍ）−１〜５１（Ｍ）−Ｎ  光信号送信手段
５２（１）−１〜５２（１）−Ｎ  光信号受信手段
５２（Ｍ）−１〜５２（Ｍ）−Ｎ  光信号受信手段
６１（１）−１〜６１（１）−Ｎ  クライアント信号
６１（Ｍ）−１〜６１（Ｍ）−Ｎ  クライアント信号
６２（１）−１〜６１（１）−Ｎ  クライアント信号
６２（Ｍ）−１〜６１（Ｍ）−Ｎ  クライアント信号
７１−１〜７１−Ｎ  マルチキャリア光送信手段
７１−１ａ、７１−１ｂ  光信号送信手段
７４−１〜７４−Ｎ  マルチキャリア光受信手段
７４−１ａ、７４−１ｂ  光信号受信手段
７５−１〜７５−Ｎ  クライアント信号
７６−１〜７６〜Ｎ  クライアント信号
８１−１〜８１−Ｎ  マルチキャリア光送信手段
８４−１〜８４−Ｎ  マルチキャリア光受信手段
８５−１〜８５−Ｎ  クライアント信号
８６−１〜８６〜Ｎ  クライアント信号
９１  予備ｃｈ光送信手段（予備用光送信手段）
９１ａ、９１ｂ  光信号送信手段
９４  予備ｃｈ光受信手段（予備用光受信手段）
９４ａ、９４ｂ  光信号受信手段
１００  波長多重伝送装置
１２２  光経路切替手段
１２３  光経路切替手段
１９１  予備ｃｈ光送信手段（予備用光送信手段）
１９１ａ  光信号送信手段
１９４  予備ｃｈ光受信手段（予備用光受信手段）
１９４ａ  光信号受信手段
２００  波長多重伝送装置
２０１〜２００＋Ｍ  
３００  波長多重伝送装置
４００  波長多重伝送装置
５０１〜５００＋Ｍ  波長多重伝送装置
６０１〜６００＋Ｍ  波長多重伝送装置
７０１、７０２、８０１、８０２  波長多重伝送装置
１００１、１００２  波長多重伝送システム
２００１〜２０００＋Ｍ  波長多重伝送システム
３００１、３００２  波長多重伝送システム
【図１】
0006455321.tif 000002
【図２】
0006455321.tif 000003
【図３】
0006455321.tif 000004
【図４】
0006455321.tif 000005
【図５】
0006455321.tif 000006